(57)【要約】【課題】ベランダの空間を小さくすることなく簡単に取り付けることができ、日差しや風通しを調整することができるとともに、外から内部が見えにくいベランダの遮蔽設備を提供する。【解決手段】平行な一対のポール１とこれらのポール１を連結する連結部材２で形成される枠内に着脱可能にブラインド３が取り付けられたベランダの遮蔽設備において、ポール１の上端と下端には、それぞれ天井の高さに応じてポール１の長さを調整するとともに、床４と天井５に対して圧着を高めるためのアジャスター６が設けられ、ブラインド３は、正方形の外枠中に回転可能な複数のブレード１０が並置されている。【選択図】　図１
0003098375.tif 000002
【実用新案登録請求の範囲】
【請求項１】
平行な一対のポールとこれらのポールを連結する連結部材で形成される枠内に着脱可能にブラインドが取り付けられたベランダの遮蔽設備において、
ポールの上端と下端には、それぞれ天井の高さに応じてポールの長さを調整するとともに、床と天井に対して圧着を高めるためのアジャスターが設けられ、
ブラインドは、正方形の外枠中に開閉可能な複数のブレードが並置されていることを特徴とするベランダの遮蔽設備。
【請求項２】
アジャスターがねじによりポールの端部に螺合されて接続されるとともに、床と天井に接する部分に受け皿状の硬質ゴムパッドが設けられていることを特徴とする請求項１記載のベランダの遮蔽設備。
【考案の詳細な説明】
【０００１】
【考案の属する技術分野】
本考案は、ベランダにおいて日差しを避け且つ目隠しするための、ベランダの遮蔽設備に関する。
【０００２】
【従来の技術】
強い日差しを避けるために、日本家屋ではよしずやすだれが利用されている。マンシヨンなどでも、夏場の強い西日をさえぎるため、よしずをベランダの床から窓枠にもたれかけさせた光景を見かける。
【０００３】
【考案が解決しようとする課題】
ベランダによしずを立てかけた場合、日差しが強い場合はよいが、日差しが弱い場合や雨天の場合は、暗くなりすぎることがある。また、風向きによっては風通しが悪くなるだけでなく、風が少し強く吹くとよしずが倒れ落ちたり飛ばされたりするためにその設置方法に苦労している。また、よしずを立てかけることによりベランダの空間が小さくなって洗濯物を干せなくなってしまう場合もある。また、マンションのベランダによしずを立てかけると、景観を損ねるので好ましくない。
【０００４】
また、マンションなどにおいては、隣接している他の建物から覗かれ易く、また特に１階、２階は歩行者から覗かれ易いために、プライバシーを保護しにくいという欠点がある。そこで、プライバシーを保護するため、通常はカーテンを用いているが、レースのカーテンでは電灯をともした夜間は室内が透けて見えることもあり本来の役目を果たさず、また、厚地のカーテンでは風通しが悪く、特に夏場においては一長一短がある。
【０００５】
さらにベランダは洗濯物の干し場でもあるが、女性肌着については見られたくないということに気を使っている。また階下では盗難の例も多く、犯罪を誘発することもあるので特に気を使う。
【０００６】
そこで本考案は、ベランダの空間を小さくすることなく簡単に取り付けることができ、日差しや風通しを調整することができるとともに、外から内部が見えにくいベランダの遮蔽設備を提供することにある。
【０００７】
【課題を解決するための手段】
本考案のベランダの遮蔽設備は、平行な一対のポールとこれらのポールを連結する連結部材で形成される枠内に着脱可能にブラインドが取り付けられたベランダの遮蔽設備において、ポールの上端と下端には、それぞれ天井の高さに応じてポールの長さを調整するとともに、床と天井に対して圧着を高めるためのアジャスターが設けられ、ブラインドは、正方形の外枠中に開閉可能な複数のブレードが並置されていることを特徴とする。アジャスターはねじによりポールの端部に螺合されて接続されるとともに、床と天井に接する部分に受け皿状の硬質ゴムパッドが設けられる構成とすることができる。
【０００８】
【考案の実施の形態】
図１は本考案によるベランダの遮蔽設備の正面図、図２は本考案においてブレードを開いた状態のブラインドの断面図、図３は本考案のベランダの遮蔽設備を壁型のベランダに取り付けた状態を示す図である。
【０００９】
図１において、連結部材２で連結された平行な一対のポール１の間にブラインド３が取り付けられている。
【００１０】
ポール１はベランダの手摺寄りに床４と天井５との間に取り付けられる。ポール１の上端と下端には、それぞれ天井５の高さに応じてポール１の長さを調整するとともに、床４と天井５に対して圧着を高めるためのアジャスター６が設けられている。
【００１１】
アジャスター６はねじによりポール１の端部に螺合させて接続されている。アジャスター６の床４と天井５に接する部分には、受け皿状の硬質ゴムパッド７を当てて摩擦力を高めて滑りを防止する。アジャスター６を回転させて床４あるいは天井５側に移動させることにより、ポール１の長さを調整し、床４と天井５との圧着を高めることができる。
【００１２】
ポール１及び連結部材２は、ブラインド３の重量とブラインド３にかかる風圧に耐えられることができるとともに、日差しと雨水の影響で劣化しにくい、アルミニウム等の金属製あるいは硬質の樹脂製にする。
【００１３】
２本のポール１と連結部材２で形成される枠内に着脱可能に取り付けるブラインド３は、９０度回転させて縦方向にも横方向にも使えるように正方形に作製する。ブラインドを着脱可能にすることで、汚れた場合には風呂場などで容易に洗え、台風などの強風の場合には取り外して損壊を防ぐこともできる。
【００１４】
ブラインド３は、図２に示すように、外枠９中に納まる開閉可能な複数のブレード１０が並置されている。ブレード１０はブレード開閉ノブ１１によりワンタッチでスライドさせて開閉可能とすることによって、光量と風量の調整が簡単にできるようにする。ブラインド３はアルミニウム等の金属製あるいは硬質の樹脂製とする。
【００１５】
また、ブラインド３は、外枠９をポール１にボルト１２で固定し、万一、外れても絶対に外側に落ちない構造にして、階下や地面への落下を防止する。
【００１６】
ブラインド３は、図１に示すように、柵型のベランダでは上下２段に設け、外壁８が壁型である場合は、図３に示すように下段にはブラインドは必要ない。
【００１７】
【考案の効果】
本考案は、ブラインドが固定されたポールをアジャスターでベランダの床と天井に圧着することによりベランダの空間を小さくすることなく簡単に取り付けることができ、また、ブラインドのブレードを開閉することにより日差しや風通しを調整することができるとともに、外から内部が見えにくいように目隠しできるので、日除けと風通しとプライバシー保護の三つが同時に可能になる。
【図面の簡単な説明】
【図１】本考案によるベランダの遮蔽設備の正面図である。
【図２】本考案においてブレードを開いた状態のブラインドの断面図である。
【図３】本考案のベランダの遮蔽設備を壁型のベランダに取り付けた状態を示す図である。
【符号の説明】
１：ポール
２：連結部材
３：ブラインド
４：床
５：天井
６：アジャスター
７：硬質ゴムパッド
８：外壁
９：外枠
１０：ブレード
１１：ブレード開閉ノブ
１２：ボルト
【図１】
0003098375.tif 000003
【図２】
0003098375.tif 000004
【図３】
0003098375.tif 000005